【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
下式
【化１】
2009529068.tif 000001
［式中、Ｒ１は、ポリエーテル、ポリエステル、ポリ（エーテル−エステル）ブロックおよびそれらの組合せからなる群から選択され、Ｒ２は、水素原子、保護基または約１個から約５０個の炭素原子を有する有機部分であり、ＮＨ−Ｒ３−ＮＨ２は、エチレンジアミン、ヘキサメチレンジアミン、リシン、Ｎ−（３−アミノプロピル）−１，４−ブタンジアミン、Ｎ，Ｎ’−ビス（３−アミノプロピル）−１，４−ブタンジアミン、ヘキサメチレンジアミンの異性体、ジエチレントリアミン、トリエチレンテトラミン、テトラエチレンペンタミン、ビスヘキサメチレントリアミン、Ｎ，Ｎ’−ビス（３−アミノプロピル）−１，２−エタンジアミン、Ｎ−（３−アミノプロピル）−１，３−プロパンジアミン、Ｎ−（２−アミノエチル）−１，３プロパンジアミン、シクロヘキサンジアミン、シクロヘキサンジアミンの異性体、４，４’−メチレンビスシクロヘキサンアミン、４’４’−メチレンビス（２−メチルシクロヘキサンアミン）、トルエンジアミン、フェニレンジアミン、イソホロンジアミン、フェナルキレンポリアミン、アミノ官能化ポリアルキレンオキシド、ポリペプチドおよびそれらの組合せからなる群から選択されるポリアミンに由来する］
の生分解性リン酸エステルポリアミンを含む、生体適合性組成物。
【請求項２】
Ｒ１が、ポリエチレングリコール、メトキシポリエチレングリコール、ポリプロピレングリコール、ポリブチレングリコール、ポリテトラメチレングリコール、ポリヘキサメチレングリコール、それらのコポリマーおよびそれらの組合せからなる群から選択されるポリエーテルを含む、請求項１に記載の生体適合性組成物。
【請求項３】
Ｒ１が、トリメチレンカーボネート、ε−カプロラクトン、ｐ−ジオキサノン、グリコリド、ラクチド、１，５−ジオキセパン−２−オン、ポリブチレンアジペート、ポリエチレンアジペート、ポリエチレンテレフタレートおよびそれらの組合せからなる群から選択されるポリエステルを含む、請求項１に記載の生体適合性組成物。
【請求項４】
Ｒ１が、ポリエチレングリコール−ポリカプロラクトン、ポリエチレングリコール−ポリラクチド、ポリエチレングリコール−ポリグリコリド、およびそれらの組合せからなる群から選択されるポリ（エーテル−エステル）ブロックを含む、請求項１に記載の生体適合性組成物。
【請求項５】
Ｒ１が、ポリエチレングリコール、メトキシポリエチレングリコール、グリコリド−ポリエチレングリコール−カプロラクトンコポリマー、脂肪族オリゴエステルおよびそれらの組合せからなる群から選択される、請求項１に記載の生体適合性組成物。
【請求項６】
請求項１に記載の生体適合性組成物を含む接着剤。
【請求項７】
請求項１に記載の生体適合性組成物を含む封止剤。
【請求項８】
末端ヒドロキシル成分をリン酸エステルと合わせて、リン酸エステル官能化化合物を形成することと、
前記リン酸エステル官能化化合物をポリアミンと合わせて、生分解性リン酸エステルポリアミンを生成することと
を含む方法。
【請求項９】
前記末端ヒドロキシル成分が、ポリエーテル、ポリエステル、ポリ（エーテル−エステル）ブロックおよびそれらの組合せからなる群から選択される、請求項８に記載の方法。
【請求項１０】
前記末端ヒドロキシル成分が、ポリエチレングリコール、メトキシポリエチレングリコール、ポリプロピレングリコール、ポリブチレングリコール、ポリテトラメチレングリコール、ポリヘキサメチレングリコール、トリメチレンカーボネート、ε−カプロラクトン、ｐ−ジオキサノン、グリコリド、ラクチド、１，５−ジオキセパン−２−オン、ポリブチレンアジペート、ポリエチレンアジペート、ポリエチレンテレフタレート、ポリエチレングリコール−ポリカプロラクトン、ポリエチレングリコール−ポリラクチド、ポリエチレングリコール−ポリグリコリド、グリコリド−ポリエチレングリコール−カプロラクトンコポリマー、脂肪族オリゴエステルおよびそれらの組合せからなる群から選択される、請求項８に記載の方法。
【請求項１１】
前記リン酸エステルが、ジクロロ−リン酸エステルを含む、請求項８に記載の方法。
【請求項１２】
末端ヒドロキシル成分をリン酸エステルと合わせて、リン酸エステル官能化化合物を形成することが、テトラヒドロフラン、ジメチルホルムアミド、ジクロロメタンおよびそれらの組合せからなる群から選択される溶媒の存在下で生じる、請求項８に記載の方法。
【請求項１３】
末端ヒドロキシル成分をリン酸エステルと合わせて、リン酸エステル官能化化合物を形成することが、トリエチルアミン、ジメチルアミノプロピルアミン、ピリジン、ジメチルアニリン、Ｎ，Ｎ−ジメチルアニリン、Ｎ−エチルピペリジン、Ｎ−メチルピロリジン、Ｎ，Ｎ，Ｎ’，Ｎ’−テトラメチルエチレンジアミン、Ｎ，Ｎ，Ｎ’，Ｎ’−テトラメチルエチレンジアミン、１，２−ジピペリジノエタン、トリメチルアミノエチルピペラジン、Ｎ，Ｎ，Ｎ’，Ｎ’’，Ｎ’’−ペンタメチルエチレントリアミン、Ｎ，Ｎ’−ジオクチル−ｐ−フェニレンジアミンおよびそれらの組合せからなる群から選択される第３級アミンの存在下で生じる、請求項８に記載の方法。
【請求項１４】
前記リン酸エステル官能化化合物が、式
【化２】
2009529068.tif 000002
［式中、Ｒ１は、ポリエーテル、ポリエステル、ポリ（エーテル−エステル）ブロックおよびそれらの組合せからなる群から選択され、Ｒ２は、水素原子、保護基、および約１個から約５０個の炭素原子を含む有機部分からなる群から選択される］
である請求項８に記載の方法。
【請求項１５】
前記ポリアミンが、エチレンジアミン、ヘキサメチレンジアミン、リシン、Ｎ−（３−アミノプロピル）−１，４−ブタンジアミン、Ｎ，Ｎ’−ビス（３−アミノプロピル）−１，４−ブタンジアミン、ヘキサメチレンジアミンの異性体、ジエチレントリアミン、トリエチレンテトラミン、テトラエチレンペンタミン、ビスヘキサメチレントリアミン、Ｎ，Ｎ’−ビス（３−アミノプロピル）−１，２−エタンジアミン、Ｎ−（３−アミノプロピル）−１，３−プロパンジアミン、Ｎ−（２−アミノエチル）−１，３プロパンジアミン、シクロヘキサンジアミン、シクロヘキサンジアミンの異性体、４，４’−メチレンビスシクロヘキサンアミン、４’４’−メチレンビス（２−メチルシクロヘキサンアミン）、トルエンジアミン、フェニレンジアミン、イソホロンジアミン、フェナルキレンポリアミン、アミノ官能化ポリアルキレンオキシド、ポリペプチドおよびそれらの組合せからなる群から選択される、請求項８に記載の方法。
【請求項１６】
前記生分解性リン酸エステルポリアミンが、式
【化３】
2009529068.tif 000003
［式中、Ｒ１は、ポリエーテル、ポリエステル、ポリ（エーテル−エステル）ブロックおよびそれらの組合せからなる群から選択され、Ｒ２は、水素原子、保護基、または約１個から約５０個の炭素原子を有する有機部分からなる群から選択され、ＮＨ−Ｒ３−ＮＨ２は、ポリアミンに由来する］
である、請求項８に記載の方法。
【請求項１７】
イソシアネートプレポリマーと、
下式
【化４】
2009529068.tif 000004
の生分解性リン酸エステルポリアミン
［式中、Ｒ１は、ポリエーテル、ポリエステル、ポリ（エーテル−エステル）ブロックおよびそれらの組合せからなる群から選択され、Ｒ２は、水素原子、保護基、または約１個から約５０個の炭素原子を有する有機部分であり、ＮＨ−Ｒ３−ＮＨ２は、エチレンジアミン、ヘキサメチレンジアミン、リシン、Ｎ−（３−アミノプロピル）−１，４−ブタンジアミン、Ｎ，Ｎ’−ビス（３−アミノプロピル）−１，４−ブタンジアミン、ヘキサメチレンジアミンの異性体、ジエチレントリアミン、トリエチレンテトラミン、テトラエチレンペンタミン、ビスヘキサメチレントリアミン、Ｎ，Ｎ’−ビス（３−アミノプロピル）−１，２−エタンジアミン、Ｎ−（３−アミノプロピル）−１，３−プロパンジアミン、Ｎ−（２−アミノエチル）−１，３プロパンジアミン、シクロヘキサンジアミン、シクロヘキサンジアミンの異性体、４，４’−メチレンビスシクロヘキサンアミン、４’４’−メチレンビス（２−メチルシクロヘキサンアミン）、トルエンジアミン、フェニレンジアミン、イソホロンジアミン、フェナルキレンポリアミン、アミノ官能化ポリアルキレンオキシド、ポリペプチドおよびそれらの組合せからなる群から選択されるポリアミンに由来する］と
を含む、生体適合性組成物であって、
前記生分解性リン酸エステルポリアミンが、前記イソシアネートプレポリマーを架橋する、生体適合性組成物。
【請求項１８】
前記イソシアネートプレポリマーが、式
【化５】
2009529068.tif 000005
［式中、Ｘは、ポリエーテル、ポリエステルおよびポリエーテル−エステルからなる群から選択され、Ｒは、芳香族基、脂肪族基および脂環式基からなる群から選択される］
である、請求項１７に記載の生体適合性組成物。
【請求項１９】
組織を接着するための請求項１７に記載の生体適合性組成物であって、
第１の組織表面と第２の組織表面とが接近され、そして
前記接近させた第１および第２の組織表面に、前記生体適合性組成物が適用されて、第１の組織表面を第２の組織表面に接着することを特徴とする、生体適合性組成物。
【請求項２０】
医用デバイスを組織表面に接着するための請求項１７に記載の生体適合性組成物であって、
医用デバイスと組織表面とが接近され、そして
前記生体適合性組成物が、前記医用デバイス、前記組織表面、または両方に適用され、
前記生体適合性組成物の適用により、前記医用デバイスが前記組織表面に接着されることを特徴とする、生体適合性組成物。